(57)【特許請求の範囲】
【請求項１】
第１の現用系の光伝送路（3a）の両端に配置してスルー状態に設定した第１の２×２スイッチ（6a）および第２の２×２スイッチ（7a）を介してそれぞれ第１の現用系の送信装置（1a）と第１の現用系の受信装置（2a）を接続し、第１の予備系の光伝送路（3a')を介して第１の予備系の送信装置（1a')と第１の予備系の受信装置（2a')を接続し、各送信装置（1a，1a')の入力側に配置した切替スイッチ（4a）および各受信装置（2a，2a')の出力側に配置した切替スイッチ（5a）により第１の現用系と第１の予備系の切り替えを行う既存伝送システムを備えた光ネットワークシステムにおいて、
第２の現用系の光伝送路（3b）の一端に多重装置（８）を介して第２の現用系の送信装置（1b）を接続し、他端に分離装置（９）を介して第２の現用系の受信装置（2b）を接続し、第２の予備系の送信装置（1b')および第２の予備系の受信装置（2b')を配置し、第２の各送信装置（1b，1b')の入力側に配置した切替スイッチ（4b）および第２の各受信装置（2b，2b')の出力側に配置した切替スイッチ（5b）により第２の現用系と第２の予備系の切り替えを行う増設伝送システムを前記既存伝送システムに増設接続するときに、
前記第１の２×２スイッチ（6a）および第２の２×２スイッチ（7a）をクロス状態に設定し、前記第１の現用系の送信装置（1a）を前記第１の２×２スイッチ（6a）を介して前記多重装置（８）に接続し、第１の現用系の受信装置（2a）を前記第２の２×２スイッチ（7a）を介して前記分離装置（９）に接続し、前記第２の予備系の送信装置（1b')を前記第１の２×２スイッチ（6a）を介して前記第１の現用系の光伝送路（3a）に接続し、前記第２の予備系の受信装置（2b')を前記第２の２×２スイッチ（7a）を介して第１の現用系の光伝送路（3a）に接続し、
前記既存伝送システムおよび前記増設伝送システムの各現用系の信号は、前記多重装置（８）と前記第２の現用系の光伝送路（3b）と前記分離装置（９）を介して多重化伝送され、前記既存伝送システムの予備系の信号は前記第１の予備系の光伝送路（3a')を介して伝送され、前記増設伝送システムの予備系の信号は前記第１の現用系の光伝送路（3a）を第２の予備系の光伝送路として用いて伝送される構成である
ことを特徴とする光ネットワークシステム。
【請求項２】
請求項１に記載の光ネットワークシステムにおいて、
前記多重装置（８）と前記第２の現用系の光伝送路（3d）との間および前記第２の現用系の光伝送路（3d）と前記分離装置（９）との間にそれぞれ挿入され、スルー接続とクロス接続を切り替える第３および第４の２×２スイッチ（6b，7b）を備え、
第３および第４の２×２スイッチ（6b，7b）を介して、前記増設伝送システムと同様の構成の他の増設伝送システムの接続を可能とする構成である
ことを特徴とする光ネットワークシステム。
【請求項３】
第１の現用系の光伝送路（3a）の両端に配置してスルー状態に設定した第１の２×２スイッチ（6b）および第２の２×２スイッチ（7b）を介してそれぞれ第１の多重装置（8b）および第１の分離装置（9b）を接続し、さらに第１の多重装置（8b）に第２の現用系の送信装置（1b）および第２の現用系の光伝送路（3b）を介して第１の現用系の送信装置（1a）を接続し、第１の分離装置（9b）に第２の現用系の受信装置（2b）および第３の現用系の光伝送路（3c）を介して第１の現用系の受信装置（2a）を接続し、第１の予備系の光伝送路（3a')の両端に第２の多重装置（8a）および第２の分離装置（9a）を接続し、さらに第２の多重装置（8a）に第１の予備系の送信装置（1a')および第２の予備系の光伝送路（3b')を介して第２の予備系の送信装置（1b')を接続し、第２の分離装置（9a）に第１の予備系の受信装置（2a')および第３の予備系の光伝送路（3c')を介して第２の予備系の受信装置（2b')を接続し、第１の各送信装置（1a，1a')の入力側に配置した切替スイッチ（4a）および第２の各送信装置（1b，1b')の入力側に配置した切替スイッチ（4b）と、第１の各受信装置（2a，2a')の出力側に配置した切替スイッチ（5a）および第２の各受信装置（2b，2b')の出力側に配置した切替スイッチ（5b) により、第１および第２の現用系と第１および第２の予備系の切り替えを行い、第１および第２の現用系の信号は前記第１の多重装置（8b）と前記第１の現用系の光伝送路（3a）と前記第１の分離装置（9b）を介して多重化伝送され、第１および第２の予備系の信号は前記第２の多重装置（8a）と前記第１の予備系の光伝送路（3a')と前記第２の分離装置（9a）を介して多重化伝送される既存伝送システムを備えた光ネットワークシステムにおいて、
第４の現用系の光伝送路（3d）の一端に第３の多重装置（8c）を介して第３の現用系の送信装置（1c）を接続し、他端に第３の分離装置（9c）を介して第３の現用系の受信装置（2c）を接続し、第３の予備系の送信装置（1c')および第３の予備系の受信装置（2c')を配置し、第３の各送信装置（1c，1c')の入力側に配置した切替スイッチ（4c）および第３の各受信装置（2c，2c')の出力側に配置した切替スイッチ（5c）により第３の現用系と第３の予備系の切り替えを行う増設伝送システムを前記既存伝送システムに増設接続するときに、
前記第１の２×２スイッチ（6b）および第２の２×２スイッチ（7b）をクロス状態に設定し、前記第１の多重装置（8b）を前記第１の２×２スイッチ（6b）を介して前記第３の多重装置（8c）に接続し、前記第１の分離装置（9b）を前記第２の２×２スイッチ（7b）を介して前記第３の分離装置（9c）に接続し、前記第３の予備系の送信装置（1c')を前記第１の２×２スイッチ（6b）を介して前記第１の現用系の光伝送路（3a）に接続し、前記第３の予備系の受信装置（2c')を前記第２の２×２スイッチ（7b）を介して第１の現用系の光伝送路（3a）に接続し、
前記既存伝送システムおよび前記増設伝送システムの各現用系の信号は、前記第３の多重装置（8c）と前記第４の光伝送路（3d）と前記第３の分離装置（9c）を介して多重化伝送され、前記既存伝送システムの予備系の信号は、前記第２の多重装置（8a）と前記第１の予備系の光伝送路（3a')と前記第２の分離装置（9a）を介して多重化伝送され、前記増設伝送システムの予備系の信号は前記第１の現用系の光伝送路（3a）を第４の予備系の光伝送路として用いて伝送される構成である
ことを特徴とする光ネットワークシステム。
【請求項４】
請求項３に記載の光ネットワークシステムにおいて、
前記第３の多重装置（8c）と前記第４の現用系の光伝送路（3d）との間および前記第４の現用系の光伝送路（3d）と前記第３の分離装置（9c）との間にそれぞれ挿入され、スルー接続とクロス接続を切り替える第３および第４の２×２スイッチ（6c，7c）を備え、
前記第３および第４の２×２スイッチ（6c，7c）を介して、前記増設伝送システムと同様の構成の他の増設伝送システムの接続を可能とする構成である
ことを特徴とする光ネットワークシステム。
【発明の詳細な説明】
【０００１】
【発明の属する技術分野】
本発明は、送受信装置とその間を結ぶ光伝送路とから構成される伝送システムが現用系および予備系により二重化され、その現用／予備伝送システム間を切り替える構成の光ネットワークシステムにおいて、伝送容量増大のために新規に伝送システムを増設する場合の経済的増設法に関する。
【０００２】
【従来の技術】
図８は、光ネットワークシステムの基本構成を示す。
図において、送信装置（ＯＳ）１および受信装置（ＯＲ）２とその間を接続する光伝送路３から構成される伝送システムは、光伝送路または送受信装置に障害が発生した場合の救済措置として現用系と同等の予備系が備えられ、１×２スイッチ４，５により現用系から予備系への切り替えが行われるようになっている。なお、図中では１ａ，２ａ，３ａを現用系とし、１ａ’，２ａ’，３ａ’を予備系で表記する。
【０００３】
このような光ネットワークシステムにおいて、伝送容量の需要増により伝送システムを増設する場合には、従来は図９に示すように、全く同じ現用系および予備系を備えた構成のものが敷設されている。
【０００４】
【発明が解決しようとする課題】
ところで、既存の光ネットワークシステムに対して、後日新たな光ネットワークシステムを増設する場合には、技術的進歩により既設の伝送システムに比べて伝送容量の増大が可能であることが一般的になっている。例えば、既設の伝送システムの伝送容量が１の場合に、増設する伝送システムの伝送容量が２以上という場合がある。このとき、増設する伝送システムに既設の伝送システムを収容することも可能となるが、それでは既設設備が無駄になる。
【０００５】
一方、図９に示すように、既存の光ネットワークシステムと同様のものを増設することになると、建設コストが増設費用の大きな割合を占めることになる。
【０００６】
本発明は、増設する伝送システムの容量増大により余裕のできた既設設備を有効利用し、増設に伴う伝送路コストの削減を図ることにより大きな経済的効果を得ることができる光ネットワークシステムを提供することを目的とする。
【０００７】
請求項１に記載の発明は、第１の現用系の光伝送路（3a）の両端に配置してスルー状態に設定した第１の２×２スイッチ（6a）および第２の２×２スイッチ（7a）を介してそれぞれ第１の現用系の送信装置（1a）と第１の現用系の受信装置（2a）を接続し、第１の予備系の光伝送路（3a')を介して第１の予備系の送信装置（1a')と第１の予備系の受信装置（2a')を接続し、各送信装置（1a，1a')の入力側に配置した切替スイッチ（4a）および各受信装置（2a，2a')の出力側に配置した切替スイッチ（5a）により第１の現用系と第１の予備系の切り替えを行う既存伝送システムを備えた光ネットワークシステムにおいて、第２の現用系の光伝送路（3b）の一端に多重装置（８）を介して第２の現用系の送信装置（1b）を接続し、他端に分離装置（９）を介して第２の現用系の受信装置（2b）を接続し、第２の予備系の送信装置（1b')および第２の予備系の受信装置（2b')を配置し、第２の各送信装置（1b，1b')の入力側に配置した切替スイッチ（4b）および第２の各受信装置（2b，2b')の出力側に配置した切替スイッチ（5b）により第２の現用系と第２の予備系の切り替えを行う増設伝送システムを既存伝送システムに増設接続するときに、第１の２×２スイッチ（6a）および第２の２×２スイッチ（7a）をクロス状態に設定し、第１の現用系の送信装置（1a）を第１の２×２スイッチ（6a）を介して多重装置（８）に接続し、第１の現用系の受信装置（2a）を第２の２×２スイッチ（7a）を介して分離装置（９）に接続し、第２の予備系の送信装置（1b')を第１の２×２スイッチ（6a）を介して第１の現用系の光伝送路（3a）に接続し、第２の予備系の受信装置（2b')を第２の２×２スイッチ（7a）を介して第１の現用系の光伝送路（3a）に接続し、既存伝送システムおよび増設伝送システムの各現用系の信号は、多重装置（８）と第２の現用系の光伝送路（3b）と分離装置（９）を介して多重化伝送され、既存伝送システムの予備系の信号は第１の予備系の光伝送路（3a')を介して伝送され、増設伝送システムの予備系の信号は第１の現用系の光伝送路（3a）を第２の予備系の光伝送路として用いて伝送される構成である。なお、カッコ内の符号は図１，図２に対応する。
【０００８】
請求項２に記載の発明は、請求項１に記載の光ネットワークシステムにおいて、多重装置（８）と第２の現用系の光伝送路（3d）との間および第２の現用系の光伝送路（3d）と分離装置（９）との間にそれぞれ挿入され、スルー接続とクロス接続を切り替える第３および第４の２×２スイッチ（6b，7b）を備え、第３および第４の２×２スイッチ（6b，7b）を介して、増設伝送システムと同様の構成の他の増設伝送システムの接続を可能とする構成である。なお、カッコ内の符号は図４に対応する。
【０００９】
請求項３に記載の発明は、第１の現用系の光伝送路（3a）の両端に配置してスルー状態に設定した第１の２×２スイッチ（6b）および第２の２×２スイッチ（7b）を介してそれぞれ第１の多重装置（8b）および第１の分離装置（9b）を接続し、さらに第１の多重装置（8b）に第２の現用系の送信装置（1b）および第２の現用系の光伝送路（3b）を介して第１の現用系の送信装置（1a）を接続し、第１の分離装置（9b）に第２の現用系の受信装置（2b）および第３の現用系の光伝送路（3c）を介して第１の現用系の受信装置（2a）を接続し、第１の予備系の光伝送路（3a')の両端に第２の多重装置（8a）および第２の分離装置（9a）を接続し、さらに第２の多重装置（8a）に第１の予備系の送信装置（1a')および第２の予備系の光伝送路（3b')を介して第２の予備系の送信装置（1b')を接続し、第２の分離装置（9a）に第１の予備系の受信装置（2a')および第３の予備系の光伝送路（3c')を介して第２の予備系の受信装置（2b')を接続し、第１の各送信装置（1a，1a')の入力側に配置した切替スイッチ（4a）および第２の各送信装置（1b，1b')の入力側に配置した切替スイッチ（4b）と、第１の各受信装置（2a，2a')の出力側に配置した切替スイッチ（5a）および第２の各受信装置（2b，2b')の出力側に配置した切替スイッチ（5b) により、第１および第２の現用系と第１および第２の予備系の切り替えを行い、第１および第２の現用系の信号は第１の多重装置（8b）と第１の現用系の光伝送路（3a）と第１の分離装置（9b）を介して多重化伝送され、第１および第２の予備系の信号は第２の多重装置（8a）と第１の予備系の光伝送路（3a')と第２の分離装置（9a）を介して多重化伝送される既存伝送システムを備えた光ネットワークシステムにおいて、第４の現用系の光伝送路（3d）の一端に第３の多重装置（8c）を介して第３の現用系の送信装置（1c）を接続し、他端に第３の分離装置（9c）を介して第３の現用系の受信装置（2c）を接続し、第３の予備系の送信装置（1c')および第３の予備系の受信装置（2c')を配置し、第３の各送信装置（1c，1c')の入力側に配置した切替スイッチ（4c）および第３の各受信装置（2c，2c')の出力側に配置した切替スイッチ（5c）により第３の現用系と第３の予備系の切り替えを行う増設伝送システムを既存伝送システムに増設接続するときに、第１の２×２スイッチ（6b）および第２の２×２スイッチ（7b）をクロス状態に設定し、第１の多重装置（8b）を第１の２×２スイッチ（6b）を介して第３の多重装置（8c）に接続し、第１の分離装置（9b）を第２の２×２スイッチ（7b）を介して第３の分離装置（9c）に接続し、第３の予備系の送信装置（1c')を第１の２×２スイッチ（6b）を介して第１の現用系の光伝送路（3a）に接続し、第３の予備系の受信装置（2c')を第２の２×２スイッチ（7b）を介して第１の現用系の光伝送路（3a）に接続し、既存伝送システムおよび増設伝送システムの各現用系の信号は、第３の多重装置（8c）と第４の光伝送路（3d）と第３の分離装置（9c）を介して多重化伝送され、既存伝送システムの予備系の信号は、第２の多重装置（8a）と第１の予備系の光伝送路（3a')と第２の分離装置（9a）を介して多重化伝送され、増設伝送システムの予備系の信号は第１の現用系の光伝送路（3a）を第４の予備系の光伝送路として用いて伝送��れる構成である。なお、カッコ内の符号は、図５，図６に対応する。
【００１０】
請求項４に記載の発明は、請求項３に記載の光ネットワークシステムにおいて、第３の多重装置（8c）と第４の現用系の光伝送路（3d）との間および第４の現用系の光伝送路（3d）と第３の分離装置（9c）との間にそれぞれ挿入され、スルー接続とクロス接続を切り替える第３および第４の２×２スイッチ（6c，7c）を備え、第３および第４の２×２スイッチ（6c，7c）を介して、増設伝送システムと同様の構成の他の増設伝送システムの接続を可能とする構成である。
【００１５】
【発明の実施の形態】
（第１の実施形態）
図１は、本発明の第１の実施形態における基本構成例（初期建設時のシステム構成）を示す。
【００１６】
図において、現用系を構成する送信装置（ＯＳ）１ａ、光伝送路３ａ、受信装置（ＯＲ）２ａと、予備系を構成する送信装置（ＯＳ）１ａ’、光伝送路３ａ’、受信装置（ＯＲ）２ａ’と、現用系と予備系の切り替えを行う１×２スイッチ４ａ，５ａは、従来と同様の構成である。
【００１７】
本実施形態の特徴は、現用系の光伝送路３ａの両端に２×２スイッチ６ａ，７ａを介して、それぞれ送信装置１ａおよび受信装置２ａを接続するところにある。２×２スイッチ６ａ，７ａは、スルー状態では入力ポート♯１と出力ポート♯１および入力ポート♯２と出力ポート♯２をそれぞれ接続し、クロス状態では入力ポート♯１と出力ポート♯２および入力ポート♯２と出力ポート♯１をそれぞれ接続する。
【００１８】
なお、２×２スイッチ６ａ，７ａの入力ポート♯１，♯２、出力ポート♯１，♯２は、以下に示す図２以降の構成においても図１に示す位置関係と同一であるものとする。
【００１９】
本システムの初期建設時は、２×２スイッチ６ａ，７ａを図１のようにスルー状態に設定する。すなわち、送信装置１ａ，光伝送路３ａ，受信装置２ａは、それぞれ２×２スイッチ６ａ，７ａの入力ポート♯１および出力ポート♯１に接続され、入力ポート♯２および出力ポート♯２は空きの状態になっている。
【００２０】
図２は、本発明の第１の実施形態における増設伝送システムの接続例を示す。図において、増設伝送システム（図中一点鎖線で囲む部分）は、現用系を構成する送信装置（ＯＳ）１ｂ、光伝送路３ｂ、受信装置（ＯＲ）２ｂと、予備系を構成する送信装置（ＯＳ）１ｂ’、受信装置（ＯＲ）２ｂ’と、現用系と予備系の切り替えを行う１×２スイッチ４ｂ，５ｂは、既存のシステム構成と同様のものである。ただし、光伝送路３ｂの一端は、多重装置８を介して送信装置１ｂおよび２×２スイッチ６ａの出力ポート♯２に接続され、光伝送路３ｂの他端は、分離装置９を介して受信装置２ｂおよび２×２スイッチ７ａの入力ポート♯２に接続される。また、送信装置１ｂ’は２×２スイッチ６ａの入力ポート♯２に接続され、受信装置２ｂ’は、２×２スイッチ７ａの出力ポート♯２に接続される。
【００２１】
ここで、既存伝送システムに増設伝送システムを接続する場合には、図２のように２×２スイッチ６ａ，７ａをクロス状態に設定する。これにより、光伝送路３ｂが現用系となる。すなわち、既存伝送システムの送信装置１ａの出力信号は２×２スイッチ６ａを介して多重装置８に入力され、増設伝送システムの送信装置１ｂの出力信号と多重化されて光伝送路３ｂを伝送される。光伝送路３ｂの出力信号は分離装置９で分離され、一方が受信装置２ｂに入力され、他方が２×２スイッチ７ａを介して既存システムの受信装置２ａに入力される。
【００２２】
一方、既存伝送システムの予備系は、送信装置１ａ’、光伝送路３ａ’および受信装置２ａ’により構成され、増設伝送システムの予備系は、送信装置１ｂ’、光伝送路３ａおよび受信装置２ｂ’により構成される。すなわち、現用系に障害が発生し場合には、既存伝送システムについては増設前と同様に送信装置１ａ’−光伝送路３ａ’−受信装置２ａ’に切り替えられ、増設伝送システムについては送信装置１ｂ’−光伝送路３ａ−受信装置２ｂ’に切り替えられ、既存伝送システムで現用系だった光伝送路３ａを介する経路が予備系として利用されることになる。
【００２３】
ここで、本実施形態における多重装置８および分離装置９は、波長多重あるいは時間多重のいずれの構成にも対応させることができるが、波長多重に適用した場合の構成例を図３に示す。
【００２４】
図３において、既存伝送システムの現用系および予備系の信号光波長をλ１、増設伝送システムの現用系の信号光波長をλ２、予備系の信号光波長をλ１とする。既存伝送システムの現用系の信号光（λ１）と増設伝送システムの現用系の信号光（λ２）は、多重装置８で合波されて光伝送路３ｂを伝送され、分離装置９で分波されて受信装置２ｂおよび受信装置２ａに受信される。一方、現用系に障害が発生した場合には、既存伝送システムの予備系の信号光（λ１）は、送信装置１ａ’から光伝送路３ａ’を伝送して受信装置２ａ’に受信され、増設伝送システムの予備系の信号光（λ１）は、送信装置１ｂ’から光伝送路３ａを伝送して受信装置２ｂ’に受信される。
【００２５】
また、図４に示すように増設伝送システムにおいて、光伝送路３ｂの両端と多重装置８および分離装置９との間に２×２スイッチ６ｂ，７ｂを配置することにより、同様にしてさらなる伝送システムの増設が可能となる。すなわち、増設前は、図１の場合と同様に２×２スイッチ６ｂ，７ｂはスルー状態に設定され、増設後にクロス状態に切り替える。
【００２６】
（第２の実施形態）
図５は、本発明の第２の実施形態における基本構成例（初期建設時のシステム構成）を示す。ここでは、４つのノードがリング状に接続された波長多重リング型ネットワークにおいて、ノード１，２は送信装置のみ、ノード３，４は受信装置のみを示し、ノード１とノード３の送受信に波長λ１を割り当て、ノード２とノード４の送受信に波長λ２を割り当てる例を示す。
【００２７】
図において、ノード１の現用系の送信装置（ＯＳ）１ａから送信された波長λ１の信号光は光伝送路３ｂを介して多重装置８ｂに入力され、ノード２の現用系の送信装置（ＯＳ）１ｂから送信された波長λ２の信号光と波長多重される。この波長λ１，λ２の波長多重信号光は、光伝送路３ａを介して分離装置９ｂまで伝送されて波長分離され、波長λ１の信号光はノード３の受信装置（ＯＲ）２ｂに受信され、波長λ２の信号光は光伝送路３ｃを介してノード４の受信装置（ＯＲ）２ａに受信される。
【００２８】
一方、ノード２の予備系の送信装置（ＯＳ）１ｂ’から送信された波長λ２の信号光は光伝送路３ｂ’を介して多重装置８ａに入力され、ノード１の予備系の送信装置（ＯＳ）１ａ’から送信された波長λ１の信号光と波長多重される。この波長λ１，λ２の波長多重信号光は、光伝送路３ａ’を介して分離装置９ａまで伝送されて波長分離され、波長λ２の信号光はノード４の受信装置（ＯＲ）２ａ’に受信され、波長λ１の信号光は光伝送路３ｃ’を介してノード３の受信装置（ＯＲ）２ｂ’に受信される。
【００２９】
本実施形態の特徴は、現用系の光伝送路３ａの両端に２×２スイッチ６ｂ，７ｂを介して、それぞれ多重装置８ｂおよび分離装置９ｂを接続するところにある。２×２スイッチの機能については、第１の実施形態と同様である。本システムの初期建設時は、２×２スイッチ６ｂ，７ｂを図５のようにスルー状態に設定する。
【００３０】
図６は、本発明の第２の実施形態における増設伝送システムの接続例を示す。図において、増設伝送システム（図中一点鎖線で囲む部分）は、現用系を構成する送信装置（ＯＳ）１ｃ、光伝送路３ｄ、受信装置（ＯＲ）２ｃと、予備系を構成する送信装置（ＯＳ）１ｃ’、受信装置（ＯＲ）２ｃ’と、現用系と予備系の切り替えを行う１×２スイッチ４ｃ，５ｃは、既存のシステム構成と同様のものである。ただし、光伝送路３ｄの一端は、多重装置８ｃを介して送信装置１ｃおよび２×２スイッチ６ｂの出力ポート♯２に接続され、光伝送路３ｄの他端は、分離装置９ｃを介して受信装置２ｃおよび２×２スイッチ７ｂの入力ポート♯２に接続される。また、送信装置１ｃ’は２×２スイッチ６ｂの入力ポート♯２に接続され、受信装置２ｃ’は、２×２スイッチ７ｂの出力ポート♯２に接続される。
【００３１】
ここで、増設伝送システムの送信装置１ｃおよび受信装置２ｃは、波長λ３，λ４の波長多重信号光を送受信するものとし、光伝送路３ｄは４波長の多重伝送が可能であるものとする。既存伝送システムに増設伝送システムを接続する場合には、図６のように２×２スイッチ６ｂ，７ｂをクロス状態に設定する。これにより、光伝送路３ｄが現用系となる。すなわち、既存伝送システムの多重装置８ｂから出力される波長多重信号光（λ１，λ２）は、２×２スイッチ６ｂを介して多重装置８ｃに入力され、増設伝送システムの送信装置１ｃの出力信号光（λ３，λ４）と多重化されて光伝送路３ｄを伝送される。光伝送路３ｄを伝送された波長多重信号光は分離装置９ｃで分離され、一方の信号光（λ３，λ４）が受信装置２ｃに入力され、他方の信号光（λ１，λ２）が２×２スイッチ７ｂを介して分離装置９ｂに入力される。
【００３２】
一方、既存伝送システムの予備系は、送信装置１ａ’，１ｂ’、光伝送路３ｂ’，３ａ’，３ｃ’および受信装置２ａ’，２ｂ’により構成され、増設伝送システムの予備系は、送信装置１ｃ’、光伝送路３ａおよび受信装置２ｃ’により構成される。すなわち、現用系に障害が発生し場合には、既存伝送システムについては増設前と同様に切り替えられ、増設伝送システムについては送信装置１ｃ’−光伝送路３ａ−受信装置２ｃ’に切り替えられ、既存伝送システムで現用系だった光伝送路３ａを介する経路が予備系として利用されることになる。
【００３３】
また、図７に示すように増設伝送システムにおいて、光伝送路３ｄの両端と多重装置８ｃおよび分離装置９ｃとの間に２×２スイッチ６ｃ，７ｃを配置することにより、同様にしてさらなる伝送システムの増設が可能となる。すなわち、増設前は、図５の場合と同様に２×２スイッチ６ｃ，７ｃはスルー状態に設定され、増設後にクロス状態に切り替える。
【００３４】
（第２の実施形態の変形例）
図５〜図７に示す構成は、４つのノードをリング状に接続して特定のノード間における送受信の場合における現用系／予備系の切り替え構成例を示したが、複数のノードをリング状に接続して任意のノード間で送受信双方向の接続を行う一般的なリングネットワークにも同様にして適用することができる。
【００３５】
また、図５，図６および図７において、光伝送路３ｂ，３ｂ’および光伝送路３ｃ，３ｃ’は、それぞれ同一の光ケーブル内に収容される２心の光ファイバを双方向に用いる構成としてもよい。また、波長多重によってそれぞれ１本の光ファイバに収容することも可能である。
【００３６】
さらに図５において、光伝送路３ａ，３ａ’は、同一の光ケーブル内に収容される２心の光ファイバを同一方向に用いる構成としてもよい。また、例えば現用系の波長λ１，λ２に対して、予備系の波長をλ３，λ４のように異なる波長に設定すれば、光伝送路３ａには波長λ１，λ２の波長多重信号光、光伝送路３ａ’には波長λ３，λ４の波長多重信号光が伝送される。この場合には、波長多重伝送することにより光伝送路３ａ，３ａ’を１本の光ファイバに収容することができる。図６の構成の場合も同様である。
【００３７】
【発明の効果】
以上説明したように、本発明の光ネットワークシステムおよび増設方法は、伝送容量を増大するために伝送システムを増設する際に、現用系として用いる光伝送路が１本ですみ、増設費用の大きな割合を占めていた光伝送路の敷設費用を半減し、増設コストの大幅な低減を実現することができる。
【図面の簡単な説明】
【図１】第１の実施形態の基本構成例を示す図。
【図２】第１の実施形態における増設伝送システムの接続例を示す図。
【図３】第１の実施形態における増設伝送システムの接続例（波長多重）を示す図。
【図４】第１の実施形態における増設対応型の増設伝送システムの接続例を示す図。
【図５】第２の実施形態の基本構成例を示す図。
【図６】第２の実施形態における増設伝送システムの接続例を示す図。
【図７】第２の実施形態における増設対応型の増設伝送システムの接続例を示す図。
【図８】光ネットワークシステムの基本構成を示す図。
【図９】光ネットワークシステムの従来の増設例を示す図。
【符号の説明】
１  送信装置（ＯＳ）
２  受信装置（ＯＲ）
３  光伝送路
４，５  １×２スイッチ
６，７  ２×２スイッチ
８  多重装置
９  分離装置
【図１】
0003831630.tif 000002
【図２】
0003831630.tif 000003
【図３】
0003831630.tif 000004
【図４】
0003831630.tif 000005
【図５】
0003831630.tif 000006
【図６】
0003831630.tif 000007
【図７】
0003831630.tif 000008
【図８】
0003831630.tif 000009
【図９】
0003831630.tif 000010